(57)【特許請求の範囲】
【請求項１】
戸車を有する引き戸の下に位置して、溝状のレール溝内を前記戸車が走行することにより引き戸を摺動可能に支持する引き戸下レールであって、
その引き戸下レールは、その長手方向に沿う側端に位置してレール溝を形成する一個の端部部材と、その端部部材に連結するとともに互いに連結してレール溝を形成する少なくとも一個の連結部材とを備え、
端部部材は、連結部材側の長手方向に沿う側端に係合可能な端部係合部を備えるとともに、この端部係合部に隣接する部分に位置してレール溝の一方の斜面を形成する端部側レール斜面を備え、
連結部材は、端部部材側の長手方向に沿う側端側に位置して、端部部材の端部係合部に係合可能な被係合部と、この被係合部よりも端部部材側の側端に位置してレール溝の他方の斜面を形成する連結側レール斜面と、前記被係合部が形成されていない方の長手方向に沿う側端に位置して、隣接する他の連結部材の被係合部に係合可能な連結係合部と、この連結係合部に隣接する部分に位置してレール溝の一方の斜面を形成する隣接レール斜面とを備え、
前記端部側レール斜面と連結側レール斜面とを組み合わせることにより、または、前記連結部材の隣接レール斜面と、この連結部材に隣接する連結部材の連結側レール斜面とを組み合わせることにより、レール溝を形成可能に設定されるとともに、
前記連結部材は、前記被係合部及び連結側レール斜面と、前記連結係合部及び隣接レール斜面との間を切断可能な切断部を備え、この切断部を切断して前記被係合部及び連結側レール斜面を有する部分を切り離すことにより、この切り離した部分が、レール溝の一部を形成するとともに連結部材の連結係合部または端部部材の端部係合部に係合可能に形成されていることを特徴とする引き戸下レール。
【請求項２】
端部部材及び連結部材並びに連結部材同士の上面側の境界は、レール溝の内部に位置するように設定されていることを特徴とする請求項１記載の引き戸下レール。
【請求項３】
端部部材の端部側レール斜面と連結部材の連結側レール斜面との下端のいずれか一方、並びに連結部材の隣接レール斜面とそれに隣接する連結部材の連結側レール斜面との下端のいずれか一方には、他方側に向かって水平方向に延びるとともに他方側が載置される水平面が形成され、
端部側レール斜面及び連結側レール斜面の下端間、並びに隣接レール斜面及び連結側レール斜面の下端間には、隙間が形成されるとともに水平面の一部が露出する水平隙間部が形成されていることを特徴とする請求項１または請求項２記載の引き戸下レール。
【請求項４】
引き戸下レールは、樹脂を押出成形することにより得られる長尺状の押出成形品であって、少なくともその表面には木目模様を形成していることを特徴とする請求項１、請求項２または請求項３記載の引き戸下レール。
【請求項５】
引き戸下レールは、樹脂と微粒子の木粉とを主材とする組成物よりなることを特徴とする請求項１、請求項２、請求項３または請求項４記載の引き戸下レール。
【請求項６】
引き戸下レールは、セルロース系材料の微粉末の表面にこの微粉末よりも小径で、かつ硬い微粉末を担持させて作成した粉体を混合した樹脂を着色成形することによって木目模様を呈するように形成したことを特徴とする請求項１、請求項２、請求項３、請求項４または請求項５記載の引き戸下レール。
【請求項７】
戸車を有する二つ以上の引き戸の下に位置して、二本以上の溝状のレール溝内を前記戸車が走行することにより引き戸を摺動可能に支持する引き戸下レールであって、
その引き戸下レールは、その長手方向に沿う側端に位置してレール溝を形成する一個の端部部材と、その端部部材に連結するとともに互いに連結してレール溝を形成する二つ以上の連結部材とを備え、
端部部材は、連結部材側の長手方向に沿う側端に係合可能な端部係合部を備えるとともに、この端部係合部に隣接する部分に位置してレール溝の一方の斜面を形成する端部側レール斜面を備え、
連結部材は、端部部材側の長手方向に沿う側端側に位置して、端部部材の端部係合部に係合可能な被係合部と、この被係合部よりも端部部材側の側端に位置してレール溝の他方の斜面を形成する連結側レール斜面と、前記被係合部が形成されていない方の長手方向に沿う側端に位置して、隣接する他の連結部材の被係合部に係合可能な連結係合部と、この連結係合部に隣接する部分に位置してレール溝の一方の斜面を形成する隣接レール斜面とを備え、
前記端部側レール斜面と連結側レール斜面とを組み合わせることにより、または、前記連結部材の隣接レール斜面と、この連結部材に隣接する連結部材の連結側レール斜面とを組み合わせることにより、レール溝を形成可能に設定されるとともに、
前記連結部材は、前記被係合部及び連結側レール斜面と、前記連結係合部及び隣接レール斜面との間を切断可能な切断部を備え、この切断部を切断して前記被係合部及び連結側レール斜面を有する部分を切り離すことにより、この切り離した部分が、レール溝の一部を形成するとともに連結部材の連結係合部または端部部材の端部係合部に係合可能に形成されており、
引き戸下レールの幅方向の一方の側端に位置する端部部材と幅方向の他方の側端に位置する連結部材との間に位置する連結部材は、引き戸と略同じ長さの短尺状に分割した複数個の短尺分割連結片を備え、
この短尺分割連結片は、閉状態の引き戸の位置に対応して配置されていることを特徴とする引き戸下レール。
【請求項８】
短尺分割連結片は、引き戸を閉じた際、短尺分割連結片の反引き戸側に位置する連結部材若しくは端部部材と同一の色となるように形成されていることを特徴とする請求項７記載の引き戸下レール。
【請求項９】
引き戸により分割される各部屋の色が部屋毎に異なる場合に、端部部材、連結部材及び短尺分割連結片の色を、それらが閉状態の引き戸によって仕切られた各々面する部屋の色に対応させて形成したことを特徴とする請求項７または請求項８記載の引き戸下レール。
【発明の詳細な説明】
【０００１】
【発明の属する技術分野】
この発明は、引き戸下レール、更に詳しくは、連結することにより、複数のレール溝を形成可能な引き戸下レールに関する。
【０００２】
【先行技術】
引き戸下レールは、戸車を有する引き戸の下に位置して、溝状のレール溝内を前記戸車が走行することにより引き戸を摺動可能に支持するものである。
従来の引き戸下レールは、レール溝を有する一体物、あるいはレール溝の部分を引き戸下レールの本体に取り付けるもの等が形成されていた。そして、引き戸下レールは、複数本のレール溝のものを形成するには、各レール溝の本数のものをそれぞれ別個に形成していた。
【０００３】
一方、本願発明に関連のある技術として、ＰＣＴ ＪＰ ９４／００３５１号（国際公開番号；ＷＯ９４／２０２８０号）に記載された「セルロース系微粉粒、木質様成形品および木質様製品」の技術について簡単に説明する。
原料としてのセルロース材を粉砕して得た粉砕粉を磨砕処理して嵩比重を高めた粉粒とし、この粉粒の外周面に、該粉粒よりも小径でかつ硬い表面粒を固定させて固定粒とし、この固定粒に樹脂及び顔料を混合し、かつ溶融させ、その後または溶融と同時に押出成形または射出成形により所望形状に成形する。すると、天然の木の木目に極めて近い模様を表面に有し、しかも手触り感等の風合いも天然の木に近い木質様製品の製造方法及び木質様製品を提供することができるのである。
【０００４】
【発明が解決しようとする課題】
しかし、上記した従来の引き戸下レールは、レール溝の本数が異なる場合には、それぞれのレール溝の本数によって、幅の異なる引き戸下レールを個別に準備しなければならず、引き戸下レールの製品の種類が多くなり、保存や管理が容易ではないという第一の問題点があった。
【０００５】
さらに、引き戸により分割される各部屋の色が異なる場合、特に一方側が和室で他方側が洋室の場合、いずれか一方側の部屋の色に合わせると、そのままでは他方側の部屋の色に適応しないという第二の問題点があった。
また、従来の引き戸下レールにおいて、一体物、あるいはレール溝の部分を別に形成するもののいずれの場合でも、引き戸下レールの表面から内部に入り込んだ凹状のレール溝を加工により形成するのは容易ではないという第三の問題点があった。
【０００６】
そこで、請求項１記載の発明は、上記した従来の技術の有する第一の問題点に鑑みてなされたものであり、その目的とするところは、端部部材に連結部材を任意の個数だけ連結させることにより、任意の数のレール溝を形成することができて、部材の共通化を図ることができ、製品種類の数を抑えることができて、保存や管理が容易な引き戸下レールを提供しようとするものである。
これに加え、この請求項１記載の発明は、上記した従来の技術の有する第三の問題点に鑑みてなされたものであり、その目的とするところは、加工が容易な引き戸下レールを提供しようとするものである。
これに加え、この請求項１記載の発明は、連結部材を切断することにより、端部の部材としても利用することができ、部品の共通化を図ることができる引き戸下レールを提供しようとするものである。
【０００７】
これに加え、請求項２記載の発明は、上記した従来の技術の有する第二の問題点に鑑みてなされたものであり、その目的とするところは、レール溝を境としてその左右で模様や、外観色を変えることができ、引き戸により分割される各部屋の色に適応した引き戸下レールを提供しようとするものである。
【０００８】
これに加え、請求項３記載の発明は、寸法誤差の発生にも対応することができて、埃溜めも形成することができる引き戸下レールを提供しようとするものである。
【０００９】
これに加え、請求項４記載の発明は、長手方向に同一断面形状を有し、任意の長さのものを簡単に得ることができるとともに、表面に木目模様が形成されて外観が良好な引き戸下レールを提供しようとするものである。
これに加え、請求項５記載の発明は、素材感が木そのものであり、表面を手で触った際、良好な手触り感が得られるとともに、均一性、耐水性に優れた引き戸下レールを提供しようとするものである。
【００１０】
これに加え、請求項６記載の発明は、木質感を有し、木目模様を有して、外観が良好な上に成形性が優れた引き戸下レールを提供しようとするものである。
これに加え、請求項７記載の発明は、閉状態の引き戸と、引き戸下レールとの外観上の調和や一体感を増すことができ、全体として、室内外観を一体感のある落ち着いた雰囲気の良好なものにすることができる引き戸下レールを提供しようとするものである。
【００１１】
これに加え、請求項８記載の発明は、引き戸を閉じた際、短尺分割連結片と、その反引き戸側の連結部材若しくは端部部材との外観上の調和や一体感を増すことができる引き戸下レールを提供しようとするものである。
これに加え、請求項９記載の発明は、端部部材、連結部材及び短尺分割連結片の色を引き戸によって仕切られた各々面する部屋の色に対応させることができ、各室内の色の調和を図ることができる引き戸下レールを提供しようとするものである。
【００１２】
【課題を解決するための手段】
本発明は、上記した目的を達成するためのものである。
請求項１記載の発明は、戸車(12)を有する引き戸(11)の下に位置して、溝状のレール溝(40)内を前記戸車(12)が走行することにより引き戸(11)を摺動可能に支持する引き戸下レール(10)であって、その引き戸下レール(10)は、その長手方向に沿う側端に位置してレール溝(40)を形成する一個の端部部材(20)と、その端部部材(20)に連結するとともに互いに連結してレール溝(40)を形成する少なくとも一個の連結部材(30)とを備え、端部部材(20)は、連結部材(30)側の長手方向に沿う側端に係合可能な端部係合部(21)を備えるとともに、この端部係合部(21)に隣接する部分に位置してレール溝(40)の一方の斜面を形成する端部側レール斜面(23)を備え、連結部材(30)は、端部部材(20)側の長手方向に沿う側端側に位置して、端部部材(20)の端部係合部(21)に係合可能な被係合部(31)と、この被係合部(31)よりも端部部材(20)側の側端に位置してレール溝(40)の他方の斜面を形成する連結側レール斜面(33)と、前記被係合部(31)が形成されていない方の長手方向に沿う側端に位置して、隣接する他の連結部材(30)の被係合部(31)に係合可能な連結係合部(32)と、この連結係合部(32)に隣接する部分に位置してレール溝(40)の一方の斜面を形成する隣接レール斜面(34)とを備え、前記端部側レール斜面(23)と連結側レール斜面(33)とを組み合わせることにより、または、前記連結部材(30)の隣接レール斜面(34)と、この連結部材(30)に隣接する連結部材(30)の連結側レール斜面(33)とを組み合わせることにより、レール溝(40)を形成可能に設定されるとともに、前記連結部材(30)は、前記被係合部(31)及び連結側レール斜面(33)と、前記連結係合部(32)及び隣接レール斜面(34)との間を切断可能な切断部(50)を備え、この切断部(50)を切断して前記被係合部(31)及び連結側レール斜面(33)を有する部分を切り離すことにより、この切り離した部分が、レール溝(40)の一部を形成するとともに連結部材(30)の連結係合部(32)または端部部材(20)の端部係合部(21)に係合可能に形成されていることを特徴とする。
【００１３】
なお、ここで、端部部材(20)や連結部材(30)が「レール溝(40)を形成する」とは、端部部材(20)や連結部材(30)がレール溝(40)の一部を形成し、それらを組み合わせることにより、一本のレール溝(40)を形成する場合や、端部部材(20)や連結部材(30)の表面に少なくとも一本のレール溝(40)を有している場合を含むものである。
また、「レール溝(40)」の縦断面形状は、特に限定されるものではなく、Ｖ溝状、Ｕ溝状、Ｙ溝状、半円状及び四角凹状等を含むものである。
【００１４】
本発明は、端部部材(20)の端部係合部(21)に連結部材(30)の被係合部(31)を係合し、さらに、必要に応じて、連結部材(30)の連結係合部(32)に、それに隣接する連結部材(30)の被係合部(31)を係合することにより、引き戸下レール(10)の幅を任意の長さに拡げ、レール溝(40)の本数を自由に増やすことができる。すなわち、端部部材(20)に任意の数の連結部材(30)を連結することにより、引き戸下レール(10)の幅やレール溝(40)の本数を任意に設定することができる。これにより、レール溝(40)の本数に合わせてそれぞれ製品を個別に形成する必要がなく、任意の本数のレール溝(40)を有する引き戸下レール(10)を共通した部材により形成することができ、部材の共通化を図ることができる。これにより、引き戸下レール(10)の製品種類の数を抑えることができ、保存や管理を容易にすることができる。
また、本発明は、端部側レール斜面(23)と連結側レール斜面(33)とを組み合わせることにより、または、連結部材(30)の隣接レール斜面(34)と、この連結部材(30)に隣接する連結部材(30)の連結側レール斜面(33)とを組み合わせることにより、Ｖ溝状等のレール溝(40)を形成している。すなわち、各レール溝(40)は、Ｖ溝状等に切削加工することにより形成するのではなく、平面状の斜面を組み合わせることにより、レール溝(40)を形成している。このため、Ｖ溝状等に加工するよりも、斜面となる平面を形成する方が加工作業が簡単に済み、各部材の加工を容易にすることができる。また、レール溝(40)の下部に埃等が溜まっても、連結側レール斜面(33)を取り外すことにより、レール溝(40)の内部の掃除を容易に行うことができる。
さらに、本発明は、連結部材(30)が、被係合部(31)及び連結側レール斜面(33)と、連結係合部(32)及び隣接レール斜面(34)との間を切断可能な切断部(50)を備えている。このため、この切断部(50)を切断することにより、連結係合部(32)及び隣接レール斜面(34)を切除して、被係合部(31)及び連結側レール斜面(33)のみを切り離すことができる。これにより、レール溝(40)の一部を形成するとともに、端部部材(20)の端部係合部(21)または連結部材(30)の連結係合部(32)に係合することができる部分を形成することができ、この切り離した部分を引き戸下レール(10)の幅方向の端部となる部材として利用することができる。すなわち、引き戸下レール(10)の幅方向の端部を見切るために形成する部材を別個に形成する必要がなく、連結部材(30)を切断部(50)を切断することにより利用することができて、部品の共通化を図れて、部材数を低減させることができる。
【００１５】
請求項２記載の発明は、上記した請求項１記載の特徴点に加え、端部部材(20)及び連結部材(30)並びに連結部材(30)同士の上面側の境界は、レール溝(40)の内部に位置するように設定されていることを特徴とする。
なお、ここで、「境界」とは、端部部材(20)と連結部材(30)とが、或いは連結部材(30)同士が、それらの上面において互いに当接することにより形成される境目を含むものである。
【００１６】
本発明は、端部部材(20)及び連結部材(30)の上面側の境界、並びに連結部材(30)同士の上面側の境界が、レール溝(40)の内部に設定してあるため、引き戸下レール(10)の幅方向において、レール溝(40)を境にして、それぞれの部材の外観色や模様が異なるものを組み合わせて使用することができる。すなわち、例えば、引き戸(11)により分割される室内の色が異なる場合、特に一方側が和室(16)で、他方側が洋室(17)のような場合においても、レール溝(40)を境にして各部屋の色や色調に適応した材質からなる端部部材(20)や連結部材(30)をそれぞれ使用することができる。これにより、室内外観に適応した引き戸下レール(10)が得られ、室内外観を良好に維持することができる。
【００１７】
【００１８】
【００１９】
請求項３記載の発明は、上記した請求項１または請求項２記載の特徴点に加え、端部部材(20)の端部側レール斜面(23)と連結部材(30)の連結側レール斜面(33)との下端のいずれか一方、並びに連結部材(30)の隣接レール斜面(34)とそれに隣接する連結部材(30)の連結側レール斜面(33)との下端のいずれか一方には、他方側に向かって水平方向に延びるとともに他方側が載置される水平面(41)が形成され、端部側レール斜面(23)及び連結側レール斜面(33)の下端間、並びに隣接レール斜面(34)及び連結側レール斜面(33)の下端間には、隙間が形成されるとともに水平面(41)の一部が露出する水平隙間部(42)が形成されていることを特徴とする。
【００２０】
本発明において、各斜面の下端間には隙間となる水平隙間部(42)が形成されているため、各斜面の下端間が近接する方向に向かって移動するような寸法誤差が各部材に発生しても、かかる寸法誤差を水平隙間部(42)が吸収することができる。これにより、各斜面の下端同士が当接してしまうことを回避することができ、端部係合部(21)と被係合部(31)とが、或いは連結係合部(32)と被係合部(31)とが係合位置のずれにより係合不可能となるような状態を抑えることができる。
【００２１】
また、レール溝(40)の下端に水平隙間部(42)を形成しているため、レール溝(40)の内部に埃や塵が入り込んでも、戸車(12)の走行の支障にならないように塵や埃等を戸車(12)の走行に影響させることなく貯留することができる埃溜めとして使用することができる。また、水平隙間部(42)を形成しているため、このような水平隙間部(42)を形成しない場合にレール溝(40)の下端の狭い領域内に埃や塵等が押し固まって取れ難くなることを抑えることができ、レール溝(40)の下端の清掃作業を容易にすることができる。
【００２２】
【００２３】
【００２４】
請求項４記載の発明は、上記した請求項１、請求項２または請求項３記載の特徴点に加え、引き戸下レール(10)は、樹脂を押出成形することにより得られる長尺状の押出成形品であって、少なくともその表面には木目模様を形成していることを特徴とする。
なお、ここで、「樹脂」とは、硬質樹脂、軟質樹脂を含み、例えば塩化ビニル樹脂、発泡塩化ビニル樹脂、ポリエチレン樹脂、ポリプロピレン樹脂、フェノール樹脂、ウレタン樹脂、ポリウレタン樹脂、ＡＢＳ樹脂、ポリスチレン樹脂等である。
【００２５】
また、ここで、「少なくともその表面には木目模様を形成」とは、押出成形品を外部から見てその表面には木目模様が現れていれば良いものである。すなわち、押出成形品の表面のみにローラ等により木目模様の印刷を施して表面にのみ木目模様を形成するようなものを含むものである。また、外観色が異なる複数の樹脂を同時に押し出すことにより、長手方向に木目状の模様が、その内部においてまで形成されるようなものも含むものである。更に、押出成形の押出口の近辺に樹脂の流れを一旦、複数に分割することができるような複数の分割片を通すことにより、木目模様を形成するようなものを含むものである。
【００２６】
本発明に係る引き戸下レール(10)は、樹脂による押出成形により形成されているため、長手方向に同一断面形状を有するとともに、任意の長さの長尺材を簡単に得ることができる。これにより、寸法が変化しても、種々の長さの引き戸下レール(10)を容易に準備することができ、引き戸下レール(10)として好適なものである。
【００２７】
また、この引き戸下レール(10)は、樹脂からなるため、木質のものと比較して吸水性が小さく、反り等の変形も抑えることができる。そして、この引き戸下レール(10)は、少なくともその表面に木目模様が形成されているため、室内の木質からなる周囲部材（例えば、鴨居や柱等）と外観を調和させることができる。
請求項５記載の発明は、上記した請求項１、請求項２、請求項３または請求項４記載の特徴点に加え、引き戸下レール(10)は、樹脂と微粒子の木粉とを主材とする組成物よりなることを特徴とする。
【００２８】
なお、ここで「微粒子の木粉」とは天然木材のほか、おがくず等を粉砕により、微粉状の粒子に形成しているものを含むものである。
本発明は、引き戸下レール(10)に木粉が含まれているため、引き戸下レール(10)の表面を手で触った感触が、木質感のあるものとなり、樹脂や塩化ビニル等の表面のツルッとした感触がなく、手にしっくりとなじむ木質特有の暖かみのある良好な手触り感を得ることができる。
【００２９】
また、引き戸下レール(10)は、上述した材料から形成され、樹脂を有しているため、木質材と比較して、吸水性が小さく、吸湿による収縮も発生しない。これにより、木質材と比較して、反り難く、ねじれ難く、また、腐り難いという材料としての均一性に優れたものにすることができる。
請求項６記載の発明は、上記した請求項１、請求項２、請求項３、請求項４または請求項５記載の特徴点に加え、引き戸下レール(10)は、セルロース系材料の微粉末の表面にこの微粉末よりも小径で、かつ硬い微粉末を担持させて作成した粉体を混合した樹脂を着色成形することによって木目模様を呈するように形成したことを特徴とする。
【００３０】
なお、ここで、「セルロース系材料」とは、天然木材のほか、おがくず、稲藁、バガスなどを含む。また、「微粉末よりも小径でかつ固い微粉末」とは、酸化チタン、フェライト、アルミニウム、ニッケル、銀、セラミック、炭酸カルシウム等の微粉末をいうものである。
【００３１】
また、「樹脂を着色」する材料とは、有色顔料であり、例えば酸化鉄、カドミウムイエロー、カーボンブラック等の無機顔料である。また、「樹脂を着色成形することによって木目模様を呈する」とは、上述した顔料を使用して、樹脂自体を着色しているため、表面のみではなく、内部にまで木目模様を呈するように形成しているものである。これにより、引き戸下レール(10)の表面が磨耗しても表面の木目模様が消えることがなく、良好な木目模様の外観を維持することができる。
【００３２】
本発明は、「セルロース系材料の微粉末の表面にこの微粉末よりも小径で、かつ硬い微粉末を担持させて作成した粉体を混合した樹脂」を形成している。このため、セルロース系材料の微粉末をそのままの状態で直接樹脂に混合して形成した場合に、微粉末の柔らかさや流動性の悪さに起因して、作業性の低下や、押出時の焼き付けの発生や、成形品がもろくなってしまうような悪影響を抑えることができる。これにより、流動性の向上を図れることができ、成形時の作業性を向上させることができる引き戸下レール(10)が得られる。
【００３３】
さらに、セルロース系材料の微粉末と、樹脂のみでは、両者の特性や機能のみで最終成形品の樹脂の特性あるいは機能が決定されてしまうのに対して、成形品の特性をセルロース系材料の微粉末の表面に担持させた小径でかつ硬い微粉末の材料選択によって変更させることができる。すなわち、微粉末として、電気的特性、化学的特性、外観的特性あるいは耐熱性等の各種特性を有するものを選択使用することによって、その成形品である引き戸下レール(10)に対して各種特性を与えることができ、その特性を変化させることができる。
具体的には、例えば、担持させる微粉末として、白色無機顔料を選択すると、「粉体」が白色になるので、成形品を色が白っぽい白木調の木材に似せる場合に使用することができ、それに加えて、成形時に他の色の顔料を用いることにより、他の色の木材に似せた成形品にも使用することができる。また、担持させる微粉末として無機顔料を用いると、耐熱性が向上し、添加しない場合に比べ、成形時の熱影響が少なく、よって色や形状の変化等の変質を抑制することができる。
【００３４】
また、本発明に係る引き戸下レール(10)は、上述したような材質からなるため、その表面に木目模様を出すことができる。また、木質材料では原料となる天然木材の違いや、含有水分の違い等による品質のバラツキが発生するが上述したような材質からなる引き戸下レール(10)ではそのようなことがなく、製品のバラツキを抑えることができる。すなわち、上述した材料を用いて成形した成形品は、複雑な断面形状をなしていても木目模様を呈するので、室内の他の表面部材に木質材、またはそれに変わる木質感のあるものを使用した場合に、外観デザインを調和させる意味で、使用するのに適している。換言すれば、天然の木材を切削加工したのでは手間がかかるような断面形状の部材であっても、木目模様を呈する成形品として提供することができる。
【００３５】
そして、「粉体を混合した樹脂」からなるため、通常の木質材料よりも水分を吸収し難く、仮に水分が付着しても水分を拭き取れば済み、メンテナンスを容易にすることができるものである。すなわち、手垢等の汚れがこの引き戸下レール(10)の表面に付着しても濡れ雑巾で掃除することができ、汚れを除去した後、水分をふき取れば良いものである。これにより、外観上は木目模様を呈することができて木製品と同様の外観を形成することができるが、耐水性に関しては木製品と比較してはるかに水に強い引き戸下レール(10)を提供できるものである。
【００３６】
請求項７記載の発明は、戸車(12)を有する二つ以上の引き戸(11)の下に位置して、二本以上の溝状のレール溝(40)内を前記戸車(12)が走行することにより引き戸(11)を摺動可能に支持する引き戸下レール(10)であって、その引き戸下レール(10)は、その長手方向に沿う側端に位置してレール溝(40)を形成する一個の端部部材(20)と、その端部部材(20)に連結するとともに互いに連結してレール溝(40)を形成する二つ以上の連結部材(30)とを備え、端部部材(20)は、連結部材(30)側の長手方向に沿う側端に係合可能な端部係合部(21)を備えるとともに、この端部係合部(21)に隣接する部分に位置してレール溝(40)の一方の斜面を形成する端部側レール斜面(23)を備え、連結部材(30)は、端部部材(20)側の長手方向に沿う側端側に位置して、端部部材(20)の端部係合部(21)に係合可能な被係合部(31)と、この被係合部(31)よりも端部部材(20)側の側端に位置してレール溝(40)の他方の斜面を形成する連結側レール斜面(33)と、前記被係合部(31)が形成されていない方の長手方向に沿う側端に位置して、隣接する他の連結部材(30)の被係合部(31)に係合可能な連結係合部(32)と、この連結係合部(32)に隣接する部分に位置してレール溝(40)の一方の斜面を形成する隣接レール斜面(34)とを備え、前記端部側レール斜面(23)と連結側レール斜面(33)とを組み合わせることにより、または、前記連結部材(30)の隣接レール斜面(34)と、この連結部材(30)に隣接する連結部材(30)の連結側レール斜面(33)とを組み合わせることにより、レール溝(40)を形成可能に設定されるとともに、前記連結部材(30)は、前記被係合部(31)及び連結側レール斜面(33)と、前記連結係合部(32)及び隣接レール斜面(34)との間を切断可能な切断部(50)を備え、この切断部(50)を切断して前記被係合部(31)及び連結側レール斜面(33)を有する部分を切り離すことにより、この切り離した部分が、レール溝(40)の一部を形成するとともに連結部材(30)の連結係合部(32)または端部部材(20)の端部係合部(21)に係合可能に形成されており、引き戸下レールの幅方向の一方の側端に位置する端部部材(20)と幅方向の他方の側端に位置する連結部材(30)との間に位置する連結部材(30)は、引き戸(11)と略同じ長さの短尺状に分割した複数個の短尺分割連結片(60)を備え、この短尺分割連結片(60)は、閉状態の引き戸(11)の位置に対応して配置されていることを特徴とする。
【００３７】
なお、ここで、「短尺分割連結片(60)は、閉状態の引き戸(11)の位置に対応して配置されている」とは、短尺分割連結片(60)が、引き戸(11)を閉じた状態における各引き戸(11)の長手方向の位置に合わせて、各引き戸(11)の下に一個ずつ、配置されていることを意味するものである。
本発明は、短尺分割連結片(60)が、引き戸(11)と略同じ長さの短尺状に分割されているものであって、閉状態の各引き戸(11)の長手方向の位置に対応して配置されている。このため、各短尺分割連結片(60)を、閉状態の各引き戸(11)の外観色や模様等と対応させることができる。さらに、各引き戸(11)に適合した材質のものをそれぞれの短尺分割連結片(60)で選択して使用することができる。これにより、閉状態の各引き戸(11)と、その下方の短尺分割連結片(60)との外観上の調和や一体感を増すことができ、全体として、室内外観を一体感のある落ち着いた雰囲気のものにすることができる。
【００３８】
請求項８記載の発明は、上記した請求項７記載の特徴点に加え、短尺分割連結片(60)は、引き戸(11)を閉じた際、短尺分割連結片(60)の反引き戸(11)側に位置する連結部材(30)若しくは端部部材(20)と同一の色となるように形成されていることを特徴とする。
本発明は、引き戸(11)を閉じた際、短尺分割連結片(60)が、その反引き戸側に位置する連結部材(30)若しくは端部部材(20)と同一の色となるように形成されている。このため、短尺分割連結片(60)を、その反引き戸側の連結部材(30)若しくは端部部材(20)と外観上、調和させることができ、両者の一体感を増すことができる。これにより、引き戸(11)を閉じた際、短尺分割連結片(60)の反引き戸側の外観上の調和や一体感を増すことができる。
【００３９】
また、引き戸(11)の表裏で色を変えているような場合であっても、引き戸(11)を閉じた状態で、短尺分割連結片(60)を、その反引き戸側に位置する連結部材(30)若しくは端部部材(20)と同一の色に形成してあることにより、閉じた引き戸(11)の表側及び裏側のそれぞれの色に合わせることができる。これにより、引き戸(11)の表裏で色が異なるような場合にも、容易に対応することができ、引き戸(11)を閉じた状態で、引き戸(11)の表裏でそれぞれ色を調和させることができ、一体感を増すことができる。
【００４０】
請求項９記載の発明は、上記した請求項７または請求項８記載の特徴点に加え、引き戸(11)により分割される各部屋の色が部屋毎に異なる場合に、端部部材(20)、連結部材(30)及び短尺分割連結片(60)の色を、それらが閉状態の引き戸(11)によって仕切られた各々面する部屋の色に対応させて形成したことを特徴とする。
【００４１】
なお、ここで、「部屋の色」とは、部屋を構成する壁や床や柱や天井や引き戸(11)等の部材の外観表面色が、同一の色や、同一系の色により統一されている場合や、それらの部材の外観色が数種類の色の組み合わせにより形成されているが、室内全体として見ると所定の色が強調されているような場合を含むものである。
【００４２】
また、ここで、「引き戸(11)により分割される各部屋の色が部屋毎に異なる場合」とは、引き戸(11)により分割される部屋の色が互いに異なるような場合をいうものである。具体的には、例えば、引き戸(11)により分割される一方の部屋が和室であって、部屋全体を白木調の色で統一してあるのに対して、引き戸(11)により分割される他方の部屋が洋室であって、部屋全体の外観色を茶色で統一してあるような場合を含むものである。
【００４３】
本発明は、端部部材(20)、連結部材(30)及び短尺分割連結片(60)の色をそれらが引き戸(11)によって仕切られた各々面する部屋の色に対応させて形成している。すなわち、引き戸(11)により分割される各部屋の色が部屋毎に異なる場合に、閉状態の引き戸(11)により仕切られた各部屋に面する各部材を、各部屋の色に合わせている。このため、閉状態の引き戸(11)によって仕切られた各部屋から視界に入る端部部材(20)、連結部材(30)及び短尺分割連結片(60)の色を、引き戸(11)により分割される各部屋の色と同一にすることができる。これにより、閉状態の引き戸(11)により現れる引き戸下レール(10)を、各引き戸(11)により分割される各部屋の室内外観と調和させることができ、各部屋の室内外観を全体として調和のとれた一体感のあるものにすることができる。
【００４４】
具体的には、例えば、一方が白木調の色を有する和室で構成され、他方が茶色の色を有する洋室で構成され、本発明に係る引き戸下レール(10)が、かかる洋室と和室との間を仕切る引き戸(11)用に形成されている場合に適用されるものである。すなわち、引き戸(11)によって仕切られて、和室側に面する端部部材(20)、連結部材(30)及び短尺分割連結片(60)の色を和室側の色に対応した白木調に形成し、引き戸(11)により仕切られて、洋室側に面する端部部材(20)、連結部材(30)及び短尺分割連結片(60)の色を洋室側の色に対応した茶色に形成することができる。これにより、室内の色の調和を図ることができ、室内全体の外観を一体感のある、落ち着いた雰囲気のあるものにすることができる。
【００４５】
【発明の実施の形態】
以下、本発明の実施の形態を図面に基づいて、更に詳しく説明する。
図１乃至図４は、本発明の実施の形態を示すものであり、図１は引き戸下レールの縦断面図、図２は端部部材の縦断面図、図３は連結部材の縦断面図、図４は切断係合部材の縦断面図をそれぞれ示す。
【００４６】
まず、本実施の形態の構成について説明する。
本実施の形態に係る引き戸下レール10は、戸車12を有する引き戸11の下に位置して、溝状のレール溝40内を前記戸車12が走行することにより引き戸11を摺動可能に支持するものである。この引き戸11の図１に示すように向かって左側の洋室17にはフローリング床部材13が形成され、向かって右側の和室16には和室床部材14が形成されており、この引き戸11は、洋室17と和室16との間を仕切るために形成されているものである。そして、この引き戸11の下部を摺動するための引き戸下レール10は、和室床部材14及びフローリング床部材13の間の木質からなる調整材15の上面に形成されている。
【００４７】
前記引き戸下レール10は、その和室16側の長手方向に沿う側端に位置してレール溝40を形成する一個の端部部材20と、その端部部材20に連結してレール溝40を形成する一個の連結部材30と、この連結部材30に連結するとともに引き戸下レール10の洋室17側の側端を形成する切断係合部材51とを備えている。そして、端部部材20及び連結部材30並びに連結部材30及び切断係合部材51の上面側の境界は、レール溝40の内部に位置するように設定されている。
【００４８】
更に、具体的に説明すると、前記端部部材20は、連結部材30側の長手方向に沿う側端に係合可能な端部係合部21と、連結部材30側の長手方向に沿う側端側に位置してレール溝40の和室16側の斜面を形成する端部側レール斜面23とを備えている。前記端部係合部21は、上方に向かって開口する縦断面凹状の溝であって、その両側の内側面には、縦断面形状が鋸歯状の凹凸部24が横方向に沿って平行に形成されている。
また、端部部材20の端部側レール斜面23の下端には、連結部材30側に向かって水平方向に延びるとともに連結部材30が載置される水平面41が形成されている。そして、端部側レール斜面23の下端と連結部材30との間には、隙間が形成されるとともに水平面41の一部が露出する水平隙間部42が形成されている。
【００４９】
前記連結部材30は、端部部材20側の長手方向に沿う側端に位置して、端部部材20の端部係合部21に係合可能な被係合部31と、この被係合部31が形成されていない方、すなわち洋室17側の長手方向に沿う側端に位置して、切断係合部材51に係合可能な連結係合部32とを備えている。
前記被係合部31は、下方に向かって突出する二本の突条からなるもので、それらの外側であって、端部係合部21の凹凸部24に接触する側の面には、縦断面形状が鋸歯状の凹凸部35が、横方向に平行に形成されている。この凹凸部35は、そのピッチが端部係合部21の凹凸部24の二倍となり、また、その凹凸部24の山の高さも端部係合部21の凹凸部24の山の高さの二倍となるように設定されている。これは、両者のピッチや、山の高さを完全に同一として同一の形状にすると、摩擦抵抗が大きくなりすぎて、はめ込みや取り外しの容易性が損なわれるのを抑えるために上述した形状に設定されているものである。
前記連結係合部32は、他の連結部材30や、切断係合部材51の被係合部31を係合可能とするために端部部材20の端部係合部21と同様の形状に形成されている。
【００５０】
さらに、連結部材30は、端部部材20側、いわゆる和室16側の長手方向に沿う側端に位置してレール溝40の洋室17側の斜面を形成する連結側レール斜面33と、切断係合部材51側、いわゆる洋室17側の長手方向に沿う側端に位置して、レール溝40の和室16側の斜面を形成する隣接レール斜面34とを備えている。そして、端部側レール斜面23と連結側レール斜面33とを組み合わせることにより、または、連結部材30の隣接レール斜面34と、切断係合部材51の連結側レール斜面33とを組み合わせることにより、Ｖ溝状のレール溝40を形成することができるように設定されている。
【００５１】
また、連結部材30の隣接レール斜面34の下端には、切断係合部材51側に向かって水平方向に延びるとともに切断係合部材51が載置される水平面41が、端部部材20と同様に形成されている。そして、隣接レール斜面34の下端と切断係合部材51の連結側レール斜面33の下端との間には、隙間が形成されるとともに水平面41の一部が露出する水平隙間部42が形成されている。
【００５２】
さらに、連結部材30は、その被係合部31及び連結側レール斜面33と、連結係合部32及び隣接レール斜面34との間を切断可能な切断部50を備えている。この切断部50を切断して、被係合部31及び連結側レール斜面33を有する部分を切り離すことにより、レール溝40の一部を形成するとともに連結部材30の連結係合部32に係合可能な切断係合部材51を形成している。すなわち、切断係合部材51は、連結部材30と同様の被係合部31及び連結側レール斜面33を備えているものであり、連結部材30の連結係合部32に係合することにより、引き戸下レール10の洋室17側の側端を形成するものである。
【００５３】
そして、本実施の形態に係る引き戸下レール10は、主として樹脂を押出成形することにより得られる長尺状の押出成形品であって、その表面には木目模様を形成している。
具体的には、引き戸下レール10は、樹脂と微粒子の木粉とを主材とする組成物よりなるものである。更に具体的には、この引き戸下レール10は、セルロース系材料の微粉末の表面にこの微粉末よりも小径で、かつ硬い微粉末を担持させて作成した粉体を混合した樹脂を着色成形することによって木目模様を呈するように形成したものである。なお、製造方法は、押出成形に限定されるものではなく、例えば射出成形等の他の製法でも良いものである。
【００５４】
次に、上記した実施の形態の作用及び効果について説明する。
本実施の形態は、端部部材20の端部係合部21に連結部材30の被係合部31を係合し、さらに、必要に応じて、連結部材30の連結係合部32に、それに隣接する連結部材30の被係合部31を係合することにより、引き戸下レール10の幅を任意の長さに拡げ、レール溝40の本数を自由に増やすことができる。すなわち、端部部材20に任意の数の連結部材30を連結することにより、引き戸下レール10の幅やレール溝40の本数を任意に設定することができる。これにより、レール溝40の本数に合わせてそれぞれ製品を個別に形成する必要がなく、任意の本数のレール溝40を有する引き戸下レール10を共通した部材により形成することができ、部材の共通化を図ることができる。
【００５５】
また、本実施の形態は、端部部材20及び連結部材30の上面側の境界、並びに連結部材30同士の上面側の境界が、レール溝40の内部に設定してあるため、引き戸下レール10の幅方向において、レール溝40を境にして、それぞれの部材の外観色や模様が異なるものを組み合わせて使用することができる。すなわち、引き戸11により分割される和室16と洋室17との室内内部の色が異なる場合、レール溝40を境にして各部屋の色や色調に適応した材質からなる端部部材20や連結部材30や切断係合部材51をそれぞれ使用することができる。これにより、室内外観に適応した引き戸下レール10が得られ、室内外観を良好に維持することができる。
【００５６】
また、本実施の形態は、端部側レール斜面23と連結側レール斜面33とを組み合わせることにより、または、連結部材30の隣接レール斜面34と、この連結部材30に隣接する連結部材30の連結側レール斜面33とを組み合わせることにより、Ｖ溝状のレール溝40を形成している。すなわち、各レール溝40は、Ｖ溝状に切削加工することにより形成するのではなく、平面状の斜面を組み合わせることにより、Ｖ溝状のレール溝40を形成している。このため、Ｖ溝状に加工するよりも、斜面となる平面を形成する方が加工作業が簡単に済み、各部材の加工を容易にすることができる。また、Ｖ溝状のレール溝40の下部に埃等が溜まっても、連結側レール斜面33を取り外すことにより、レール溝40の内部の掃除を容易に行うことができる。
【００５７】
さらに、本実施の形態は、レール溝40を形成する端部部材20の連結側レール斜面33の下端から連結部材30の連結側レール斜面33に向かって水平方向に延びるとともに連結側レール斜面33側が載置される水平面41が形成され、レール溝40の下端間には、隙間が形成されるとともに水平面41の一部が露出する水平隙間部42が形成されている。また、同様に連結部材30の隣接レール斜面34の下端から切断係合部材51の連結側レール斜面33に向かって水平面41が形成され、上記と同様の水平隙間部42が形成されている。このように、レール溝40の両斜面の下端間には隙間となる水平隙間部42が形成されているため、各斜面の下端間が近接する方向に向かって移動するような寸法誤差が各部材に発生しても、かかる寸法誤差を水平隙間部42が吸収することができる。これにより、寸法誤差が発生して、各斜面の下端同士が当接してしまうことを回避することができ、端部係合部21と被係合部31とが、或いは連結係合部32と被係合部31とが係合不可能となるような状態を抑えることができる。
【００５８】
また、レール溝40の下端に水平隙間部42を形成しているため、レール溝40の内部に埃や塵が入り込んでも、戸車12の走行の支障にならないように塵や埃等を戸車12の走行に影響させることなく貯留することができる埃溜めとして使用することができる。また、水平隙間部42を形成しているため、このような水平隙間部42を形成しない場合にレール溝40の下端の狭い領域内に埃や塵等が押し固まって取れ難くなることを抑えることができ、レール溝40の下端の清掃作業を容易にすることができる。
【００５９】
また、本実施の形態は、連結部材30が、被係合部31及び連結側レール斜面33と、連結係合部32及び隣接レール斜面34との間を切断可能な切断部50を備えている。このため、この切断部50を切断することにより、連結係合部32及び隣接レール斜面34を切除して、被係合部31及び連結側レール斜面33のみを切り離すことができる。これにより、レール溝40の連結側レール斜面33を形成するとともに、端部部材20の端部係合部21または連結部材30の連結係合部32に係合することができる被係合部31を形成することができ、さらに、切り離した部分を引き戸下レール10の幅方向の洋室17側の端部を形成する部材として利用することができる。すなわち、引き戸下レール10の幅方向の洋室17側の端部を形成する部材を別個に形成する必要がなく、連結部材30を切断部50により、切断することにより切断係合部材51として利用することができて、部品の共通化を図ることができ、部材数を低減することができる。
【００６０】
本実施の形態に係る引き戸下レール10は、押出成形により形成されているため、長手方向に同一断面形状を有するとともに、任意の長さの長尺材を簡単に得ることができる。これにより、寸法が変化しても、種々の長さの引き戸下レール10を容易に準備することができ、引き戸下レール10として好適なものを得ることができる。
【００６１】
また、この引き戸下レール10は、樹脂を含んでいるため、木質材のみからなるものと比較して、吸水性が小さく、吸湿による収縮も発生しない。これにより、木質材と比較して、反り難く、ねじれ難く、また、腐り難いという材料としての均一性に優れたものにすることができる。また、この引き戸下レール10にはセルロース系材料である木粉が含まれているため、引き戸下レール10の表面を手で触った感触が、木質感のあるものとなり、樹脂や塩化ビニル等の表面のツルッとした感触がなく、手にしっくりとなじむ木質特有の暖かみのある良好な手触り感を得ることができる。
【００６２】
さらに、本実施の形態に係る引き戸下レール10は、「セルロース系材料の微粉末の表面にこの微粉末よりも小径で、かつ硬い微粉末を担持させて作成した粉体を混合した樹脂」から形成されている。このため、セルロース系材料の微粉末をそのままの状態で直接樹脂に混合して形成した場合に、微粉末の柔らかさや流動性の悪さに起因する作業性の低下や、押出時の焼き付けの発生や、成形品がもろくなってしまうような悪影響を抑えることができる。これにより、流動性の向上を図れることができ、作業性を向上させることができる。
【００６３】
さらに、セルロース系材料の微粉末と、樹脂のみでは、両者の特性や機能のみで最終成形品の樹脂の特性あるいは機能が決定されてしまうのに対して、成形品の特性を微粉末の選択によって変更させることができる。すなわち、微粉末として、電気的特性、化学的特性、あるいは耐熱性等の各種特性を有するものを選択使用することによって、その成形品である引き戸下レール10に対して各種特性を与えることができ、その特性を変化させることができる。
【００６４】
そして、本実施の形態に係る引き戸下レール10は、上述したような材質からなるため、その表面に木目模様を出すことができる。また、木質材料では原料となる天然木材の違いや、含有水分の違い等による品質のバラツキが発生するが上述したような材質からなる引き戸下レール10ではそのようなことがなく、製品のバラツキを抑えることができる。すなわち、上述した材料を用いて成形した成形品は、複雑な断面形状をなしていても木目模様を呈するので、室内の他の表面部材に木質材、またはそれに変わる木質感のあるものを使用した場合に、外観デザインを調和させる意味で、使用するのに適している。換言すれば、天然の木材を切削加工したのでは手間がかかるような断面形状の部材であっても、木目模様を呈する成形品として提供することができる。
【００６５】
そして、「粉体を混合した樹脂」からなるため、通常の木質材料よりも水分を吸収し難く、仮に水分が付着しても水分を拭き取れば済み、メンテナンスを容易にすることができるものである。すなわち、手垢等の汚れがこの引き戸下レール10の表面に付着しても濡れ雑巾で掃除することができ、汚れを除去した後、水分をふき取れば良いものである。これにより、外観上は木目模様を呈することができて木製品と同様の外観を形成することができるが、耐水性に関しては木製品と比較してはるかに水に強い引き戸下レール10を提供できるものである。
【００６６】
次に、第二の実施の形態について説明する。
図５は、本発明の第二の実施の形態に係る引き戸下レールの縦断面図を示すものである。
本実施の形態は、端部部材20と切断係合部材51の二つの部材を用いて、一本のレール溝40を有する引き戸下レール10を形成しているものである。すなわち、第一の実施の形態において、端部部材20、連結部材30及び切断係合部材51の三つの部材を用いて、二本のレール溝40を有していたものから、連結部材30を取り除いたものである。
【００６７】
具体的には、端部部材20の端部係合部21に、切断係合部材51の被係合部31を係合することにより、両者を連結している。そして、端部部材20の端部側レール斜面23と、切断係合部材51の連結側レール斜面33とにより、一本のＶ溝状のレール溝40を形成している。
その他の構成は、第一の実施の形態とほぼ同様であって、同様の部材には同一の部品番号を付与して説明を省略する。
【００６８】
本実施の形態においては、第一の実施の形態で使用した部材の一部を使用することにより、すなわち、端部部材20と切断係合部材51との二つの部材によって、一本のレール溝40を有する幅の狭い引き戸下レール10を形成することができ、共通した部材を使用して他の寸法形状の引き戸下レール10を形成することができる。
【００６９】
次に、第三の実施例について説明する。
図６は、本発明の第三の実施の形態に係る引き戸下レールの縦断面図を示すものである。
本実施の形態は、一個の端部部材20と二個の連結部材30と一個の切断係合部材51の三種類の部材を計四個、使用することにより、三本のレール溝40を有する引き戸下レール10を形成しているものである。すなわち、第一の実施の形態に連結部材30の使用個数を一つ増やしたものである。具体的には、端部部材20に連結部材30を連結し、さらにこの連結部材30に隣接してもう一個の同一形状の連結部材30を連結し、最後に、切断係合部材51を連結したものである。その他の構成は、第一の実施の形態とほぼ同様であって、同様の部材には同一の部品番号を付与して説明を省略する。
【００７０】
本実施の形態は、第一の実施の形態で使用した端部部材20と、連結部材30と、連結部材30の一部を切断することにより得られる切断係合部材51との三つの部材を使用することにより、三本のレール溝40を有する引き戸下レール10を形成することができる。上述した第一、第二及び第三の実施の形態で説明したように、端部部材20と、連結部材30と、この連結部材30の一部を切断することにより得られる切断係合部材51とを組み合わせることにより、任意の数のレール溝40を有する引き戸下レール10を得ることができる。すなわち、端部部材20と連結部材30との二種類の部材のみを、一部、切断することにより、また、組み合わせることにより、レール溝40の本数が異なる引き戸下レール10を組み立てることができる。
【００７１】
次に、第四の実施の形態について説明する。
図７乃至図９は、本発明の第四の実施の形態であって、図７は引き戸下レールの横断面図、図８は図７のＡＡ線の縦断面図、図９は図７のＢＢ線の縦断面図をそれぞれ示すものである。
本実施の形態に係る引き戸下レール10は、二つの引き戸11の下に位置して、二本のレール溝40と、一つの端部部材20と、二つの連結部材30とを備えたものである。そして、引き戸下レール10は、和室16と洋室17との間に配置されている。この引き戸下レール10上を走行する引き戸11は、和室16と洋室17との間の建物躯体64に開口する空間を仕切るために形成されているものである。なお、この建物躯体64は、特に図示しないが、四角枠状の枠材及びその枠内を塞ぐ面材からなる木質の壁パネル65から形成されている。そして、この壁パネル65は、その表面を化粧する化粧部材66により覆われている。そして、和室16は、その室内を構成する壁や床や柱等の各部材の外観色が白木調に統一してあり、洋室17は、その室内を構成する壁や床や柱等の各部材の外観色が茶色に統一して形成されている。そして、引き戸11の和室16側に面する表面は、その外観色を和室16の外観色と略同様の白木調に設定してある。また、引き戸11の洋室17側に面する表面は、その外観色を洋室17の外観色と略同様の茶色に設定してある。
【００７２】
前記端部部材20は、引き戸下レール10の和室16側に配置されている。この端部部材20と和室床部材14との間には、全体形状が略筒状の畳寄せ61が配置されている。具体的には、端部部材20の和室16側の端面には、長手方向に沿って凹溝状に凹んだ畳寄せ凹溝状被係合部71が形成され、畳寄せ61の端部部材20側の側端面には、長手方向に沿って突条に突出する畳寄せ突出係合部70が形成されている。そして、この畳寄せ61の畳寄せ突出係合部70が、端部部材20の畳寄せ凹溝状被係合部71にはめ込まれることにより、畳寄せ61が端部部材20に固定されている。なお、この畳寄せ突出係合部70と畳寄せ凹溝状被係合部71とのかみ合う表面には、連結係合部32や被係合部31のかみ合う表面に形成されているものと同様の凹凸部が形成されている。
【００７３】
そして、二つの連結部材30のうち、洋室17側の連結部材30は、連結部材30を切断部50により切断することにより得られる切断係合部材51が使用されている。そして、引き戸下レール10の幅方向の和室16側の側端に位置する端部部材20と、引き戸下レール10の幅方向の洋室17側の側端に位置する連結部材30である切断係合部材51との間に位置する連結部材30は、引き戸11と略同じ長さの短尺状に分割した二個の短尺分割連結片60から形成されている。そして、この短尺分割連結片60は、閉状態の引き戸11の位置に対応して配置されている。
すなわち、短尺分割連結片60が、二つの引き戸11を閉じた状態における各引き戸11の長手方向の位置に合わせて、各引き戸11の下に一個ずつ、配置されている。具体的には、引き戸11は、図７に示すように、引き戸11を閉じた状態において、引き戸下レール10の左側に位置する左側引き戸67と、引き戸下レール10の右側に位置する右側引き戸68とからなるものである。そして、短尺分割連結片60は、左側引き戸67の下方に位置して洋室17側に表面が現れる洋室用短尺分割連結片63と、右側引き戸68の下方に位置して和室16側に表面が現れる和室用短尺分割連結片62とからなるものである。
【００７４】
前記短尺分割連結片60は、引き戸11を閉じた際、短尺分割連結片60の反引き戸11側に位置する連結部材30若しくは端部部材20と同一の色となるように形成されている。そして、端部部材20、連結部材30及び短尺分割連結片60の色を、それらが閉状態の引き戸11によって仕切られた各々面する部屋の色に対応させて形成している。具体的には、引き戸下レール10の和室16側に位置する畳寄せ61及び端部部材20は、和室16を構成する部材の色と略同一の白木調の色に形成されている。そして、引き戸下レール10の洋室17側に位置する連結部材30である切断係合部材51は、洋室17を構成する部材の色と略同一の茶色に形成されている。そして、右側引き戸68を閉じた状態において、右側引き戸68の下方に位置して、その表面が和室16側に現れる和室用短尺分割連結片62は、反右側引き戸68側に位置する端部部材20と同一の色である白木調に形成されている。そして、この和室用短尺分割連結片62の白木調の外観色は、右側引き戸68を閉状態にした際、和室用短尺分割連結片62が面する和室16の色調に対応している。
一方、左側引き戸67を閉じた状態において、左側引き戸67の下方に位置して、その表面が洋室17側に現れる洋室用短尺分割連結片63は、反左側引き戸67側に位置する端部部材20である切断係合部材51と同一の色である茶色の外観色を有している。そして、この洋室用短尺分割連結片63の茶色の外観色は、左側引き戸67を閉状態にした際、洋室用短尺分割連結片63が面する洋室17の色調と対応している。
【００７５】
その他の構成は、第一の実施の形態と略同様であって、同一の構成には、同一の部品番号を付与して説明を省略する。
次に、上記した実施の形態の作用及び効果について説明する。
本実施の形態は、短尺分割連結片60が、引き戸11と略同じ長さの短尺状に分割されると共に閉状態の各引き戸11の長手方向の位置に対応して配置されている。このため、各短尺分割連結片60を、閉状態の各引き戸11の外観色や模様等と対応させることができる。さらに、各引き戸11に適合した材質のものをそれぞれの短尺分割連結片60で選択して使用することができる。
【００７６】
本実施の形態は、引き戸11を閉じた際、短尺分割連結片60が、その反引き戸側に位置する連結部材30若しくは端部部材20と同一の色となるように形成されている。このため、短尺分割連結片60を、その反引き戸側の連結部材30若しくは端部部材20と外観上、調和させることができ、両者の一体感を増すことができる。これにより、引き戸11を閉じた際、短尺分割連結片60の反引き戸側の外観上の調和や一体感を増すことができる。
【００７７】
更に、具体的には、和室用短尺分割連結片62を、右側引き戸68の和室16側の表面、端部部材20、畳寄せ61及び和室16を構成する各部材等の外観色である白木調と同一の外観色にしている。また、洋室用短尺分割連結片63を、左側引き戸67の洋室17側の表面、切断係合部材51及び洋室17を構成する壁等の各部材の外観色である茶色と同一の外観色にしている。これにより、引き戸11の閉状態において、和室16と洋室17との間に位置する引き戸下レール10を、各部屋に現れる領域に分割して、各領域毎に各部屋に対応した外観色に形成することができ、和室16及び洋室17の各室内の色の調和を図ることができて、各室内全体の外観を一体感のある、落ち着いた雰囲気のあるものにすることができる。
【００７８】
次に、第五の実施の形態について説明する。
図１０は、本発明の第五の実施の形態であって、引き戸下レールの概略平面図を示す。
本実施の形態に係る引き戸下レール10は、一つの端部部材20と、二つの連結部材30と、二本のレール溝40とを備え、このレール溝40には、三つの引き戸11が走行可能に設定されている。なお、二つの連結部材30のうち、洋室17側の連結部材30は、その一部を切断することにより得られる切断係合部材51からなるものである。そして、端部部材20と切断係合部材51との間に位置する連結部材30は、三つの引き戸11に対応させるために、三個の短尺状の短尺分割連結片60から形成されている。具体的には、引き戸11は、二本のレール溝40のうち和室16側を走行可能であって、図１０に示すように引き戸11を閉じた状態において、引き戸下レール10の左側に位置する左側引き戸67と、洋室17側のレール溝40を走行可能であって、引き戸下レール10の中央に位置する中央引き戸69と、和室16側のレール溝40を走行可能であって、引き戸下レール10の右側に位置する右側引き戸68とを備えている。
【００７９】
前記短尺分割連結片60は、左側引き戸67及び右側引き戸68の下方にそれぞれ一つずつ配置されている洋室用短尺分割連結片63と、中央引き戸69の下方に位置する和室用短尺分割連結片62とから形成されている。そして、二つの洋室用短尺分割連結片63の外観色は、切断係合部材51や洋室17を構成する部材の外観色と同一の茶色に設定されている。また、和室用短尺分割連結片62の外観色は、端部部材20や和室16を構成する部材の外観色と同一の白木調に設定されている。
その他の構成は、第四の実施の形態と略同様であって、同一の構成には、同一の部品番号を付与して説明を省略する。
【００８０】
本実施の形態のように、二本のレール溝40に三つの引き戸11を交互に配置する場合であっても、和室16側に現れる引き戸下レール10の表面を和室16側の部屋の色に対応させることができ、また、洋室17側に現れる引き戸下レール10の表面を洋室17側の部屋の色に対応させることができる。これにより、第四の実施の形態で述べたものと略同様の作用及び効果を奏し、室内全体の外観を一体感のある、落ち着いた雰囲気のあるものにすることができる。
【００８１】
次に、第六の実施の形態について説明する。
図１１は、本発明の第六の実施の形態であって、引き戸下レールの概略平面図を示す。
本実施の形態に係る引き戸下レール10は、一つの端部部材20と、三つの連結部材30と、三本のレール溝40とを備え、このレール溝40には、各レール溝40に一つずつ、合計三つの引き戸11が走行可能に設定されている。なお、三つの連結部材30のうち、洋室17側の連結部材30は、その一部を切断することにより得られる切断係合部材51からなるものである。そして、端部部材20と切断係合部材51との間に位置する二つの連結部材30は、三つの引き戸11に対応させるために、それぞれ三個の短尺状の短尺分割連結片60から形成されている。
【００８２】
具体的には、引き戸11は、三本のレール溝40のうち和室16側を走行可能であって、図１０に示すように引き戸11を閉じた状態において、引き戸下レール10の左側に位置する左側引き戸67と、三本のレール溝40のうち中央のレール溝40を走行可能であって、引き戸下レール10の略中央に位置する中央引き戸69と、三本のレール溝40のうち洋室17側のレール溝40を走行可能であって、引き戸下レール10の右側に位置する右側引き戸68とを備えている。
【００８３】
そして、切断係合部材51に隣接する三つの短尺分割連結片60は、図１１に示すように、引き戸下レール10の左側及び中央に位置して洋室17の外観色と略同一の茶色の外観色を有する二つの洋室用短尺分割連結片63と、引き戸下レール10の右側に位置して和室16の外観色と略同一の白木調の外観色を有する和室用短尺分割連結片62とを備えている。
【００８４】
また、端部部材20に隣接する三つの短尺分割連結片60は、図１１に示すように、引き戸下レール10の左側に位置して洋室17の外観色と略同一の茶色の外観色を有する一つの洋室用短尺分割連結片63と、引き戸下レール10の中央及び右側に位置して和室16の外観色と略同一の白木調の外観色を有する二つの和室用短尺分割連結片62とを備えている。
【００８５】
本実施の形態のように、三本のレール溝40に三つの引き戸11を配置する場合であっても、和室16側に現れる引き戸下レール10の表面を和室16側の部屋の色に対応させることができ、また、洋室17側に現れる引き戸下レール10の表面を洋室17側の部屋の色に対応させることができる。
これにより、第四の実施の形態で述べたものと略同様の作用及び効果を奏し、室内全体の外観を一体感のある、落ち着いた雰囲気のあるものにすることができる。
【００８６】
【発明の効果】
本発明は、以上のように構成されているので、以下に記載されるような効果を奏する。
請求項１記載の発明によれば、端部部材に連結部材を任意の個数だけ連結させることにより、任意の数のレール溝を形成することができて、部材の共通化を図ることができ、製品種類の数を抑えることができて、保存や管理が容易な引き戸下レールを提供することができる。
また、この請求項１記載の発明によれば、加工が容易な引き戸下レールを提供することができる。さらに、この請求項１記載の発明によれば、連結部材を切断することにより、端部の部材としても利用することができ、部品の共通化を図ることができる引き戸下レールを提供することができる。
【００８７】
請求項２記載の発明によれば、レール溝を境としてその左右で模様や、外観色を変えることができ、引き戸により分割される各部屋の色に適応した引き戸下レールを提供することができる。
【００８８】
請求項３記載の発明によれば、寸法誤差の発生にも対応することができて、埃溜めも形成することができる引き戸下レールを提供することができる。
【００８９】
請求項４記載の発明によれば、長手方向に同一断面形状を有し、任意の長さのものを簡単に得ることができるとともに、表面に木目模様が形成されて外観が良好な引き戸下レールを提供することができる。
請求項５記載の発明によれば、素材感が木そのものであり、表面を手で触った際、良好な手触り感が得られるとともに、均一性、耐水性に優れた引き戸下レールを提供することができる。
【００９０】
請求項６記載の発明によれば、木質感を有し、木目模様を有して、外観が良好な上に成形性が優れた引き戸下レールを提供することができる。
請求項７記載の発明によれば、閉状態の引き戸と、引き戸下レールとの外観上の調和や一体感を増すことができ、全体として、室内外観を一体感のある落ち着いた雰囲気の良好なものにすることができる引き戸下レールを提供することができる。
【００９１】
請求項８記載の発明によれば、引き戸を閉じた際、短尺分割連結片と、その反引き戸側の連結部材若しくは端部部材との外観上の調和や一体感を増すことができる引き戸下レールを提供することができる。
請求項９記載の発明によれば、端部部材、連結部材及び短尺分割連結片の色を引き戸によって仕切られた各々面する部屋の色に対応させることができ、各室内の色の調和を図ることができる引き戸下レールを提供することができる。
【図面の簡単な説明】
【図１】  本発明の第一の実施の形態であって、引き戸下レールを示す縦断面図である。
【図２】  本発明の第一の実施の形態であって、端部部材を示す縦断面図である。
【図３】  本発明の第一の実施の形態であって、連結部材を示す縦断面図である。
【図４】  本発明の第一の実施の形態であって、切断係合部材を示す縦断面図である。
【図５】  本発明の第二の実施の形態であって、引き戸下レールを示す縦断面図である。
【図６】  本発明の第三の実施の形態であって、引き戸下レールを示す縦断面図である。
【図７】  本発明の第四の実施の形態であって、引き戸下レールを示す横断面図である。
【図８】  本発明の第四の実施の形態であって、図７のＡＡ線の縦断面図である。
【図９】  本発明の第四の実施の形態であって、図７のＢＢ線の縦断面図である。
【図１０】  本発明の第五の実施の形態であって、引き戸下レールを示す概略平面図である。
【図１１】  本発明の第六の実施の形態であって、引き戸下レールを示す概略平面図である。
【符号の説明】
10…引き戸下レール、11…引き戸、12…戸車、13…フローリング床部材、14…和室床部材、15…調整材、16…和室、17…洋室、20…端部部材、21…端部係合部、23…端部側レール斜面、24…凹凸部、30…連結部材、31…被係合部、32…連結係合部、33…連結側レール斜面、34…隣接レール斜面、35…凹凸部、36…凹凸部、40…レール溝、41…水平面、42…水平隙間部、50…切断部、51…切断係合部材、60…短尺分割連結片、61…畳寄せ、62…和室用短尺分割連結片、63…洋室用短尺分割連結片、64…建物躯体、65…壁パネル、66…化粧部材、67…左側引き戸、68…右側引き戸、69…中央引き戸、70…畳寄せ突出係合部、71…畳寄せ凹溝状被係合部。
【図１】
0003745131.tif 000002
【図２】
0003745131.tif 000003
【図３】
0003745131.tif 000004
【図４】
0003745131.tif 000005
【図５】
0003745131.tif 000006
【図６】
0003745131.tif 000007
【図７】
0003745131.tif 000008
【図８】
0003745131.tif 000009
【図９】
0003745131.tif 000010
【図１０】
0003745131.tif 000011
【図１１】
0003745131.tif 000012